(57)【特許請求の範囲】
【請求項１】
液保持性の吸収層及び液不透過性の防漏層を有する吸収性本体と、腹側部、股下部及び背側部からなり、上記腹側部及び上記背側部の両側縁部を接合固定して、一対の接合部、ウエスト開口部及び一対のレッグ開口部を形成し、且つ少なくとも一対の該レッグ開口部それぞれの開口周縁部にそれぞれレッグ部弾性部材を配してギャザーを形成してなり、該吸収性本体が固着されたパンツ部分とからなるパンツ型吸収性物品であって、
上記レッグ部弾性部材は、腹側部又は背側部の１側縁から股下部の１側縁に沿い、股下部においてパンツ部分を幅方向に横断し、且つ股下部の他側縁から腹側部又は背側部の他側縁に沿って配されており、
上記パンツ部分は、上記レッグ部弾性部材が横断する部分の近傍に、最も幅の狭い最小幅部が位置するように湾曲形成されており、
上記最小幅部は、上記パンツ部分をその展開状態における長手方向に二等分する線より上記腹側部側に位置しており、
上記接合部の長さと上記レッグ開口部の長さとの比（レッグ開口部の長さ／接合部の長さ）が１．７〜４であり、
上記最小幅部の長さと上記パンツ部分における最も幅の広い最大幅部の長さとの比（最大幅部の長さ／最小幅部の長さ）が２．５〜５であり、
上記吸収層には、上記股下部のほぼ中央に位置する部分に嵩高部が設けられている
パンツ型吸収性物品。
【請求項２】
上記嵩高部は、その幅方向長さが、上記最小幅部の長さの１０〜７０％である請求項１記載のパンツ型吸収性物品。
【発明の詳細な説明】
【０００１】
【発明の属する技術分野】
本発明は、装着感が良好で、動き易く、股間部のフィット性に優れ、漏れ防止性に優れたパンツ型吸収性物品に関する。
【０００２】
【従来の技術及び発明の解決しようとする課題】
液保持性の吸収層及び液不透過性の防漏層を有する吸収性物品は、広く用いられている。例えば、長時間や夜使用吸収性物品のように後ろ側を大きくし、漏れを防ぐ工夫をしたものや、パンツ型で横側を閉じて、股／隙間漏れを防ぐ工夫をしたものなどが提案されている。
しかし、このような構造の吸収性物品でも漏れ防止機能は十分とはいえず、特に股間部におけるフィット性が悪く、排泄ポイントがズレたり、吸収性物品と体との間にすきまが生じたりして漏れる問題があった。
また、股間部でのフィット性の悪さにより、装着感が悪いという問題や、パンツ型では、脚部が覆われて動きにくいという問題もあった。
【０００３】
従って、本発明の目的は、装着感が良好で、動き易く、股間部のフィット性に優れ、漏れ防止性に優れたパンツ型吸収性物品を提供することにある。
【０００４】
【課題を解決するための手段】
本発明は、液保持性の吸収層及び液不透過性の防漏層を有する吸収性本体と、腹側部、股下部及び背側部からなり、上記腹側部及び上記背側部の両側縁部を接合固定して、一対の接合部、ウエスト開口部及び一対のレッグ開口部を形成し、且つ少なくとも一対の該レッグ開口部それぞれの開口周縁部にそれぞれレッグ部弾性部材を配してギャザーを形成してなり、該吸収性本体が固着されたパンツ部分とからなるパンツ型吸収性物品であって、上記レッグ部弾性部材は、腹側部又は背側部の１側縁から股下部の１側縁に沿い、股下部においてパンツ部分を幅方向に横断し、且つ股下部の他側縁から腹側部又は背側部の他側縁に沿って配されており、上記パンツ部分は、上記レッグ部弾性部材が横断する部分の近傍に、最も幅の狭い最小幅部が位置するように湾曲形成されており、上記最小幅部は、上記パンツ部分をその展開状態における長手方向に二等分する線より上記腹側部側に位置しており、上記接合部の長さと上記レッグ開口部の長さとの比（レッグ開口部の長さ／接合部の長さ）が１．７〜４であり、上記最小幅部の長さと上記パンツ部分における最も幅の広い最大幅部の長さとの比（最大幅部の長さ／最小幅部の長さ）が２．５〜５であり、上記吸収層には、上記股下部のほぼ中央に位置する部分に嵩高部が設けられているパンツ型吸収性物品を提供することにより、上記目的を達成したものである。
【０００５】
【発明の実施の形態】
以下、本発明のパンツ型吸収性物品の好ましい一実施形態について詳細に説明する。
【０００６】
本形態のパンツ型吸収性物品（ショーツ型の生理用ナプキン）１は、図１〜３に示すように、液保持性の吸収層２及び液不透過性の防漏層３を有する吸収性本体４と、腹側部Ａ、股下部Ｂ及び背側部Ｃからなり、腹側部Ａ及び背側部Ｃそれぞれの両側縁部Ａ１、Ｃ１及びＡ２、Ｃ２を接合固定して、接合部１２（図５参照）、ウエスト開口部５（図５参照）及び一対のレッグ開口部６（図５参照）を形成し且つ少なくとも一対のレッグ開口部６それぞれの開口周縁部にそれぞれレッグ部弾性部材６１を配してギャザーを形成したパンツ部分７とからなり、該パンツ部分７に吸収性本体４が固着されている。
【０００７】
吸収層２は、図３に示すように、吸収体２１と、吸収体２１の肌当接面側に配された液透過性のトップシート２２とを有している。また、吸収層２の表面側における左右両側縁部には、先端に位置する自由端にひも状の弾性部材２３ａが設けられたシート部材２３ｂが配されて立体部２３が形成されている。
また、吸収体２１は、吸収部２１ａと該吸収部２１ａの全面を覆うように配された吸収紙２１ｄとからなる。
【０００８】
防漏層３は、上記吸収体２１の裏面側に配されたバックシート３１からなる。バックシート３１は、その左右両側縁部が、立体部２３を形成するシート部材２３ｂにより覆われている。
【０００９】
また、パンツ部分７は、本形態のパンツ型吸収性物品１の外表面を形成する外層シート７１と、内表面に位置し吸収性本体４に当接する内層シート７２と、レッグ部弾性部材６１と、着用時に着用者のウエスト周りに位置するウエスト部弾性部材５１とからなり、レッグ部弾性部材６１及びウエスト部弾性部材５１は、それぞれ、外層シート７１及び内層シート７２間において両者に挟持されるように配されている。
また、本実施形態においては、特に図示しないが、着用時に着用者の胴回りに位置する胴回り部（ウエスト回りから下方で、股下部よりも上方の部分）に胴回り弾性部材が配されている。
【００１０】
次に、上記の各部材の形成材料について説明する。
トップシート２２、吸収体２１及びバックシート３１としては、それぞれおむつや生理用ナプキン等に用いられているものを特に制限なく用いることができる。
シート部材２３ｂとしては、ヒートボンド、スパンボンド等の不織布、フィルム、該不織布と該フィルムとのラミネート材等を用いることができる。
また、内層シート７２としては、ヒートボンド、スパンボンド等の不織布、透湿性又は非透湿性のフィルム、該不織布と該フィルムとのラミネート材等を用いることができる。
また、外層シート７１としては、ヒートボンド、スパンボンド、スパンレース、メルトブロー等の不織布、透湿性又は非透湿性のフィルム、該不織布と該フィルムとのラミネート材等を用いることができる。
更に、弾性部材２３ａ、レッグ部弾性部材６１及びウエスト部弾性部材５１としては、糸ゴム、平ゴム、ウレタンゴム、ポリエチレンゴム等、通常、吸収性物品に使用されている材料を用いることができる。
【００１１】
而して、本形態の生理用ナプキン１において、レッグ部弾性部材６１は、腹側部Ａの１側縁Ａ１の内側から股下部Ｂの１側縁Ｂ１に沿い、股下部Ｂにおいてパンツ部分７を幅方向に横断し、且つ股下部Ｂの他側縁Ｂ２から腹側部Ａの他側縁Ａ２に沿って配された腹側レッグ部弾性部材６１ａと、背側部Ｃの１側縁Ｃ１から股下部Ｂの１側縁Ｂ１に沿い、股下部Ｂにおいてパンツ部分を幅方向に横断し、且つ股下部Ｂの他側縁Ｂ２から背側部Ｃの他側縁部Ｃ２に沿って配された背側レッグ部弾性部材６１ｂとからなり、パンツ部分７は、腹側レッグ部弾性部材６１ａ及び背側レッグ部弾性部材６１ｂが横断する部分の近傍に、最も幅の狭い最小幅部７３となるように湾曲形成されており、最小幅部７３は、パンツ部分７をその展開状態における長手方向に二等分する線１１より腹側部Ａ側に位置しており、接合部１２の長さａとレッグ開口部６の長さｂとの比（ｂ／ａ）が１．７〜４、好ましくは１．８〜３であり、最小幅部７３の長さｐとパンツ部分７における最も幅の広い最大幅部７４の長さｑとの比（ｑ／ｐ）が２．５〜５、好ましくは２．８〜４である。
【００１２】
ｂ／ａ及びｑ／ｐが上述の範囲内にあることにより、股間部のフィット性に優れ、かつ脚部の動きに阻害されない形態となり、装着感が良好となる。さらに、着用中の着用者の動きにより吸収性物品がズレたり、体から離れたりすることがなく、排泄された液をしっかりと吸収できるため、漏れ防止性が向上される。
ここで、上記「近傍」とは、レッグ部弾性部材が横断している部分から腹側及び背側へ約５ｃｍ以内の領域を意味する。本実施形態においては、６１ａと６１ｂの中間でそれぞれより１．５ｃｍ離れた部分に位置している。
また、最大幅部７４は、接合部１２を外した展開状態における最も幅が広い部分を意味し、本実施形態においては、背側部Ｃ及び腹側部Ａである。
また、レッグ開口部６の長さｂは、図２に示すように、中央の線１１の位置からレッグ開口部縁部までのおむつの上下方向に沿った長さである。
【００１３】
更に詳述すると、上記背側レッグ部弾性部材６１ｂは、その生理用ナプキンを幅方向に横断する部分６１ｂ’が、上記線１１よりも腹側部Ａよりに位置するようになされている。ここで、該線１１と上記の横断する部分６１ｂ’との間の距離ｄ１（図４参照）は、３〜７ｃｍとするのが好ましい。
また、上記背側レッグ部弾性部材６１ｂの長さは、上記腹側レッグ部弾性部材６１ａの長さに比して、１．０５〜１．４０倍とするのが好ましい。
また、上記腹側レッグ部弾性部材６１ａの伸長度は、１８０〜３００％とするのが好ましく、上記背側レッグ部弾性部材６１ｂの伸長度は、１８０〜３００％とするのが好ましい。
更に、上記腹側レッグ部弾性部材６１ａの上記の横断する部分６１ａ’と、上記背側レッグ部弾性部材６１ｂの上記の横断する部分６１ｂ’との間の距離ｄ２（図４参照）は、０〜４ｃｍとするのが好ましい。
【００１４】
また、吸収層２においては、股下部Ｂのほぼ中央に位置する部分に、吸収体２１を２層構造として形成された嵩高部２４が、設けられている。即ち、図３に示すように、吸収体２１は、吸収部２１ａが、吸収性本体４の平面形状とほぼ同じ平面形状を有する下層吸収部２１ｂと、嵩高部２４の平面形状と同じ形状を有する上層吸収部２１ｃとからなり、これにより、嵩高部２４が形成されている。
嵩高部２４の厚みは、２〜１０ｍｍが好ましく、更に好ましくは４〜７ｍｍである。嵩高部以外の部位の厚みは、０．５〜８ｍｍが好ましく、より好ましくは２〜４ｍｍである。
【００１５】
嵩高部２４は、その幅方向長さが、最小幅部の長さの１０〜７０％であるのが好ましく、より好ましくは３０〜６０％である。
また、上層吸収部２１ｃの幅は、下層吸収部２１ｂの幅よりも狭い方が好ましい。
また、吸収体２１は、腹側部Ａから背側部Ｃに亘って配され、股下部Ｂに位置する部分の幅が腹側部Ａ又は背側部Ｃに位置する部分の幅に比して狭くなされている。
上述の寸法は、図２に示すように、吸収性物品を両接合部で破断させてなるべくシワの発生しない状態に展開して測定する。
また、上記最大幅部は、展開前及び展開後のいずれで計っても良いが、図１に示すように、腹側部と背側部とが当接するように畳んだ際における最も幅の広い箇所を意味し、最大幅部の長さｑ（図１参照）は、この最も幅の広い箇所の内面の長さである。即ち、該長さｑは、展開後に計ると、接合部を含む最大幅部の長さｑ’（図２参照）から接合部の幅を除いた長さである。本実施形態においては、腹側部の幅と背側部の幅とが同じであるので、長さｑ’から接合部の長さを除いた長さが最大幅部の長さである。また、腹側／背側で長さの異なる場合は、両方の長さを加え、接合部の幅の分を除いた後、得られた値を２で割った長さとなる。
吸収体の厚さは、厚みゲージ（商品名「ＰＥＡＣＯＣＫ  ＵＰＲＡＩＧＨＴ  ＤＩＡＬＧＡＵＧＥ  No. ２０７」）を使用し、該厚みゲージの接触圧を含めた２．５ｇ／ｍ2 荷重下で計測した。
また、吸収体には、吸収性樹脂を用いても良いが、排泄された液体を吸収した時に、ゲルブロッキングと呼ばれる現象の影響を避けるために、最下層（下層吸収部）にのみ配合することが好ましい。この際、吸収性樹脂の量は、吸収性物品全体の重量の６％以上が好ましく、より好ましくは、６〜３０％であり、更に好ましくは、７〜２０％である。
【００１６】
また、股下部の硬さは、その中心部において、２００〜２０００ｃＮとするのが好ましく、４００〜１３００ｃＮとするのがより好ましく、５００〜１０００ｃＮとするのが更に好ましい。
ここで、上記硬さは、下記の如くして測定されるものである。
パンツ型吸収性物品の股下部の弾性材を５〜１０ｍｍ間隔で切断し、弾性効果を排除した状態にて、股下部にある最小幅部を中心として長さ方向に１５０ｍｍ幅方向に４０ｍｍ（１５０ｍｍ×４０ｍｍ）の長方形状に切断して、試験サンプルを得た。得られた試験サンプルを、２〜３ｍｍの重なり部を有する外径約５０ｍｍφ円筒状として、重なり部をステープロー〔針（マックス製No. １０−１Ｍ）〕で、圧縮方向と直角に２ヶ所固定（端部より１０ｍｍ程の位置）し、サンプルを得た。得られたサンプルを万能型材料試験機（株式会社オリエンテック製、「テンシロンＲＴＡ−１００」）の圧縮試験モードを用いて、速度５０ｍｍ／分にて圧縮して、該サンプルの長さが２０ｍｍになるまで圧縮した時の最大値を測定し、１回１枚で３回の平均値を硬さとする。
なお、弾性効果の排除時には、この硬さ測定に影響がでないようにできる限り切断部位を小さくするとともに、弾性材のみもしくは弾性材を固定している材料と弾性材を切断するようにする。（切断による弾性効果の排除が困難な場合には、弾性材の剥離による方法を取る）
【００１７】
また、上記嵩高部２４の長手方向中央を横断する線２４’と、上記背側レッグ部弾性部材６１ｂにおける生理用ナプキンを横断する部分６１ｂ’とは、ほぼ一致する（重なる）ようになされている。
【００１８】
本形態の吸収性物品は、以下のようにして使用することができる。
即ち、図５に示すように、通常のパンツと同様に腹側部Ａが着用者の腹側に位置するようにはくことにより使用に供することができ、使用後はサイド付近にあある接合部１２を引き裂く等して、本体に取付けられた廃棄用のテープなどを使用して廃棄処理することができる。
また、本形態の吸収性物品１は、上述の如く構成されているので、吸収層２の股間に対するフィット性が高く、また、吸収性にも優れる。
本発明の吸収性物品は、このような効果を奏するため、女性用の吸収性物品、特に生理用ナプキン等の吸収性物品として有効である。
【００１９】
また、本形態のパンツ型吸収性物品は、下記の如くして製造することができる。
即ち、通常の生理用ナプキンの製造方法と同様にして上記吸収性本体４を製造し、また、上記外層シート７１上にレッグ部弾性部材６１及びウエスト部弾性部材５１を配した後上記内層シート７２を載置して、展開状態のパンツ部分７を作成する。次いで、展開状態のパンツ部分７上の所定位置に上記吸収性本体４を接着剤などを介して固着し、更に、上記パンツ部分７の腹側及び背側の両側縁部Ａ１、Ｃ１及びＡ２、Ｃ２をそれぞれ接合固定することにより、製造することができる。
【００２０】
尚、本発明の吸収性物品は種々変更が可能である。
例えば、伸縮性を有する単層もしくは複層の外装シート上に上記吸収体本体４を固着し、さらに、上記パンツの腹側及び背側の両側縁部Ａ１，Ｃ１及びＡ２，Ｃ２をそれぞれ接合固定することにより製造することができる。
【００２１】
【実施例】
〔参考例〕
下記パンツ部分と吸収性本体とをそれぞれ作成し、吸収性本体のほぼ全面をパンツ部分に固定して図２〜４に示す形態の吸収性物品を得た。
・パンツ部分；図２のように略Ｉ字形の２枚のヒートボンド不織布（坪量２５ｇ／ｍ2、ポリエチレンテレフタレート（ＰＥＴ）／ポリエチレン（ＰＥ）芯鞘構造繊維、繊度２デニール）間に、ホットメルト型接着剤で下記弾性体を固定して製造した。上記不織布は、長手方向６８０ｍｍ×横方向５８０ｍｍの大きさで、最小幅部の位置は、線１１より腹側に５０ｍｍの位置であり、最小幅は１９０ｍｍとした。また、最大幅は、５８０ｍｍとした。
２．弾性材；
ウエスト部弾性部材：２．４ｍｍ幅の平ゴム（坪量０．６４ｇ／ｍ2）、腹側部及び背側部共に６本（計１２本）、伸長率２６０％レッグ部弾性部材：２．４ｍｍ幅の平ゴム（坪量０．６４ｇ／ｍ2）、腹側部及び背側部共に３本（計６本）、伸長率２００％胴回り弾性部材：８４０ｄの糸ゴムを、腹側部Ａには１５本、背側部Ｂには１９本、ウエスト部弾性部材より１０ｍｍ下方から、１０ｍｍ間隔で配置、伸張率２００％。
【００２２】
・吸収性本体
吸収性本体は、下記トップシート、下記吸収体及び下記バックシートを、トップシートと吸収体との間は、ホットメルト接着剤をスパイラル状に塗布し、吸収体とバックシートとの間は、ホットメルト接着剤をスプレー状に塗布して固定して形成した。また、坪量２５ｇ／ｍ2 で、繊維表面をあらかじめ撥水処理した不織布（大きさ：長手方向４８０ｍｍ×横方向１００ｍｍ）の、１側端縁を吸収体下部に固定し、他側端縁に弾性材（糸ゴム８６０ｄ、伸長率２６０％）を伸長状態で固定して、立体部を形成した。形成される立体部の高さは、約３０ｍｍとした。また、吸収性本体の長手方向端部の各部材も固定されている。上記の各固定はホットメルト接着剤による。
１．トップシート
坪量：２５ｇ／ｍ2 、大きさが長手方向４８０ｍｍ×横方向１２０ｍｍで、ＰＥＴ／ＰＥ芯鞘構造繊維、繊度  ２ｄの繊維からなるヒートボンド不織布。
２．吸収体
坪量１６ｇ／ｍ2 のパルプと結合材とからなる紙の内面に、スプレー状に接着剤を塗工し、パルプ／吸水ポリマー／レーヨン綿の混合物を積繊し、紙で包装して製造した。その大きさは、１４０×４５０ｍｍ（最小幅８０ｍｍ）とした。
また、パルプの坪量は、１７０ｇ／ｍ2 、吸水ポリマー（「アクアリック  ＣＡＷ−１６」、日本触媒（株）製）の坪量は、１００ｇ／ｍ2 、レーヨン綿の坪量は、１２ｇ／ｍ2 とした。
３．バックシート
坪量２５ｇ／ｍ2 の透湿性シート（花王社製、商品名「スーパーメリーズ」、Ｌサイズ用のバックシート）を用いた。その大きさは、長手方向４８０ｍｍ×横方向１２０ｍｍとした。
【００２３】
〔実施例１〕
下記吸収体を用いて吸収性本体を製造した以外は、参考例と同様にして吸収性物品を得た。
吸収体：坪量１６ｇ／ｍ2のパルプと結合材とからなる紙の内面に、スプレー状に接着剤を塗工し、上層吸収部と下層吸収部とを積繊して、該紙で包装して製造した。その大きさは、１４０×４５０ｍｍ（最小幅８０ｍｍ）とした。また、上層吸収部におけるパルプの坪量は、１７０ｇ／ｍ2、大きさは６０×１５０ｍｍであり、下層吸収部におけるパルプの坪量は、１７０ｇ／ｍ2、吸水ポリマー（「アクアリック ＣＡＷ−１６」、日本触媒（株）製）の坪量は、１００ｇ／ｍ2、レーヨン綿の坪量は、１２ｇ／ｍ2とした。
【００２４】
〔実施例２〕
パンツ部分に用いる不織布の大きさを、長手方向６３０ｍｍ×横方向５８０ｍｍとし、胴回り弾性部材の配置本数を前１０本、後１５本とし、吸収体を下記の吸収体とし、吸収性本体に立体部を設けない以外は、参考例と同様にして吸収性物品を得た。
吸収体：坪量１６ｇ／ｍ2のパルプと結合材とからなる紙を２枚用意し、この２枚の紙で吸収部を挟み込んだ以外は、実施例１で用いた吸収体と同じ。
【００２５】
〔実施例３〕
吸収体として、実施例２で用いたものと同じ吸収体を用い、吸収性本体における立体部を、下記の如く配設した以外は、参考例と同様にして吸収性物品を得た。
立体部；坪量２５ｇ／ｍ2で撥水処理した不織布（大きさ：長手方向４８０ｍｍ×横方向１００ｍｍ）の、１側端縁を吸収体下部にホットメルト剤で固定し、他側端縁を６０ｍｍ程度トップシートの上部に持ち上げて折り返す。折り返した中心位置から５ｍｍ離れた位置に２本の弾性材を不織布に挟む様に伸長状態で固定（糸ゴム８６０ｄ、伸長率２６０％）し、不織布とトップシートとの重なり部を熱シールにより接合して、立体部を形成した。形成された立体部の高さは約２０ｍｍとした。
【００２６】
以下に、参考例及び各実施例で得られた吸収性物品について、「動き易さ」、「股間部のフィット感」、「歩行想定時の吸収性」及び「総合評価」について評価した。その結果を〔表１〕に示す。なお、「動き易さ」「股間部のフィット感」は、実際に吸収性物品を装着した時の官能評価を５段階で評価し、５人の平均値を数値化した。（３が普通で、１に近づくほど悪く、５に近づくほど良好）
「歩行想定時の吸収性」は、人体腰部モデルに吸収性物品を装着し、毎分１００歩の速度で腰部モデルの脚部を前後に動かし、腰部モデル股部に設けられた排泄部よりマイクロチューブポンプで馬血を排泄する（速度４ｇ／分）。排泄は、歩行開始１分後に２ｇ注入し、注入後３分後に３ｇ注入、以下注入後３分毎に２ｇ注入し、漏れが生じるまで歩行／注入を繰り返す。この測定を３回行い、３回の平均吸収量（小数点以下四捨五入）を吸収レベルに置き換えて評価する。吸収レベルは、標準平均吸収量を１３ｇ（レベル３）とし、平均吸収量が２ｇ下がる毎に−０．５、平均吸収量が２ｇ上がる毎に＋０．５ポイントとする（従って、５ｇであれば、吸収レベルは１となる）
「総合評価」は、上記「動き易さ」「股間部のフィット感」「歩行想定時の吸収性」のポイントを平均して導く。ポイントが３を超えれば良い評価である。
【００２７】
尚、比較のために、下記の比較例１〜４の吸収性物品についても上述の各評価を行った。その結果も併せて〔表１〕に示す。
〔比較例１〕
参考例と同様の構成で作成した。但し、パンツ部分の大きさは、６８０×５８０ｍｍ（最小幅部３２０ｍｍ）とし、吸収性本体の大きさは、４８０×２５０ｍｍ（最小幅２１０ｍｍ）とした。また、接合部の長さａを１５０ｍｍ、レッグ開口部長さｂを１９０ｍｍとした。
〔比較例２〕
市販品の吸収性物品（市販品Ａ）を使用した。
〔比較例３〕
参考例と同様の構成で作成した。但し、パンツ部分の大きさは、６８０×５８０ｍｍ（最小幅部３２０ｍｍ）とし、吸収性本体の大きさは、４８０×２５０ｍｍ（最小幅２１０ｍｍ）とした。更に、接合部長さａを１３０ｍｍ、レッグ開口部長さｂを２１０ｍｍとした。
〔比較例４〕
市販品の吸収性物品（市販品Ｂ）を使用した。
【００２８】
【表１】
0003724966.tif 000002
【００２９】
【発明の効果】
本発明のパンツ型吸収性物品は、装着感が良好で、動き易く、股間部のフィット性に優れ、漏れ防止性に優れたものである。
【図面の簡単な説明】
【図１】図１は、本発明のパンツ型吸収性物品の一形態を示す斜視図である。
【図２】図２は、本発明のパンツ型吸収性物品の一形態を示す展開図である。
【図３】図３は、図２のII-II 断面図である。
【図４】図４は、図２のIII 部拡大図である。
【図５】図５は、図２に示す形態のパンツ型吸収性物品の使用状態を示す斜視図である。
【符号の説明】
１      生理用ナプキン
２      吸収層
２１    吸収体
２１ａ  吸収部
２１ｂ  下層吸収部
２１ｃ  上層吸収部
２１ｄ  吸収紙
２２    トップシート
２３    立体部
２３ａ  弾性部材
２３ｂ  シート部材
２４    嵩高部
３      防漏層
３１    バックシート
４      吸収体本体
５      ウエスト開口部
５１    ウエスト部弾性部材
６      レッグ開口部
６１    レッグ部弾性部材
６１ａ  腹側レッグ部弾性部材
６１ｂ  背側レッグ部弾性部材
７      パンツ部分
７１    外層シート
７２    内層シート
７３    最小幅部
７４    最大幅部
Ａ      腹側部
Ｂ      股下部
Ｃ      背側部
【図１】
0003724966.tif 000003
【図２】
0003724966.tif 000004
【図３】
0003724966.tif 000005
【図４】
0003724966.tif 000006
【図５】
0003724966.tif 000007